(57)【特許請求の範囲】
【請求項１】
円柱形状の分流器を備え、前記分流器は、生体活性ガラス、又は水に溶けるガラスで作製されたチューブであり、前記分流器の内部には、その軸方向に沿って同心状に穿孔が設けられており、前記穿孔の外周部分には、薬物を収容するための複数の薬物載せ空間が形成され、
前記薬物載せ空間は、放射状に形成される仕切り壁と、前記穿孔と同心状に形成される仕切り壁と、により規則的に配列された表載せ空間と裏載せ空間とを有していることを特徴とする生体活性ガラス薬物キャリア機能付き分流器。
【請求項２】
外周面に少なくとも一つの逆止構造が環設されており、前記逆止構造は、内側へ凹むように、前記分流器の中段位置に環設されていることを特徴とする、請求項１に記載の生体活性ガラス薬物キャリア機能付き分流器。
【請求項３】
前記穿孔の内部には、軸方向に非平行な方法で整列およびくり抜く複数の繊維束が設けられていることを特徴とする、請求項１に記載の生体活性ガラス薬物キャリア機能付き分流器。
【請求項４】
前記生体活性ガラスは、外側から内側への分解時間は、それぞれ２４時間以内に分解し、１か月以内に分解し、６か月以内に分解し、及び１年間〜３年間以内に分解することを特徴とする、請求項１〜３のいずれかの請求項に記載の生体活性ガラス薬物キャリア機能付き分流器。
【発明の詳細な説明】
【技術分野】
【０００１】
本発明は、分流器に関し、特に、目用のブラケットや心血管用のブラケットなどとして利用することができ、人体の拒絶反応を降下する他、一定時間内に自分で分解することができ、フォローアップの問題や将来の苦痛の後遺症を引き起こさず、そして排液および薬物を充填するキャリアとする効果を有する生体活性ガラス薬物キャリア機能付き分流器に関するものである。
【背景技術】
【０００２】
従来の心血管用のブラケットを手術で人体に組付けた後、ユーザーは、ニキビ防止または瘢痕防止の薬物を飲まなければならない。これにより、人体の外来物に対する拒絶反応を低減することができ、そして経口薬なため、多い量を人体の血液循環に投与しないと、標的の傷に影響を及ぼすことができない。一方、心血管用のブラケットを利用しても、一年間以内に５%〜１０%の確率で再び塞がれる可能性がある。このため、手術を再度に行って心血管ブラケットを交換することが必要である。毎回の手術は、リスクを有するため、毎回の心血管ブラケットの人体への取付の効果を増加することができれば、治療効果を増加することができる。
【発明の概要】
【発明が解決しようとする課題】
【０００３】
本発明の主な目的は、人体内の予定位置に分流器を取り付けた後、薬物は、所定の創傷位置または標的に近接するため、少ない投与量で良い効果を得ることができる生体活性ガラス薬物キャリア機能付き分流器を提供することにある。
【課題を解決するための手段】
【０００４】
本発明に係る生体活性ガラス薬物キャリア機能付き分流器によると、分流器を備え、分流器は、生体活性ガラス、又は水に溶けるガラスで作製されたチューブ、又は繊維を編織し、又は配列して構成される束であり、分流器の一側の末端は嵌め込み端であり、生体活性ガラスの間の隙間、又は水に溶けるガラスの隙間は、薬物を収容するための少なくとも一つの薬物載せ空間であることを特徴とする。
【０００５】
本発明に係る生体活性ガラス薬物キャリア機能付き分流器によると、分流器の軸方向に沿って穿孔が設けられていることを特徴とする。
【０００６】
本発明に係る生体活性ガラス薬物キャリア機能付き分流器によると、穿孔に繊維束が複数設けられていることを特徴とする。
【０００７】
本発明に係る生体活性ガラス薬物キャリア機能付き分流器によると、分流器を備え、分流器は、生体活性ガラス、又は水に溶けるガラスで作製されたチューブ、又は繊維を編織し、又は配列して構成される束であり、分流器は、その軸方向に沿って穿孔が設けられており、外周面に少なくとも一つの逆止構造が環設されており、一側の末端が徐々に縮径する嵌め込み端であり、生体活性ガラスの間の隙間、又は水に溶けるガラスの隙間は、薬物を収容するための複数の薬物載せ空間であることを特徴とする。
【０００８】
本発明に係る生体活性ガラス薬物キャリア機能付き分流器によると、逆止構造は、内側へ凹むように、分流器の中段位置に環設されていることを特徴とする。
【０００９】
本発明に係る生体活性ガラス薬物キャリア機能付き分流器によると、分流器の内部には、軸方向に非平行な方法で整列およびくり抜く複数の繊維束が設けられていることを特徴とする。
【００１０】
本発明に係る生体活性ガラス薬物キャリア機能付き分流器によると、これらの薬物載せ空間は、規則的な形または異なる厚さで配列されることを特徴とする。
【００１１】
本発明に係る生体活性ガラス薬物キャリア機能付き分流器によると、これらの薬物載せ空間は、少なくとも一つの表載せ空間と、少なくとも一つの裏載せ空間と、を有し、表載せ空間と裏載せ空間とは、同じ距離を置いて設けられる複数の仕切構造を有し、これらの仕切構造の厚さは、同じ又は異なることにより、分解速度を相違して、薬物の放出時間および投与量をコントロールすることを特徴とする。
【００１２】
本発明に係る生体活性ガラス薬物キャリア機能付き分流器によると、生体活性ガラスは、外側から内側への分解時間は、それぞれ２４時間以内に分解し、１か月以内に分解し、６か月以内に分解し、及び１年間〜３年間以内に分解することを特徴とする。
【００１３】
本発明に係る生体活性ガラス薬物キャリア機能付き分流器によると、分流器の外観は、弾丸型、カプセル型、又はラグビー型であることを特徴とする。
【発明の効果】
【００１４】
本発明に係る生体活性ガラス薬物キャリア機能付き分流器によれば、分流器は、生体活性ガラス又は水に溶けるガラスを採用するため、手術で人体に取り付けた後、人体の拒絶反応を降下することができ、且つ分流器は、薬物の人体内への分解速度をコントロールすることができ、時間の経過に従って分流器の区間のブロックが分解し、薬物の放出時間を有効にコントロールすることができる。そして、単一または多種の薬物を複数の薬物載せ空間に充填することができる。これにより、人体内の予定位置に分流器を取り付けた後、薬物は、所定の創傷位置または標的に近接するため、少ない投与量で良い効果を得ることができるという効果を有する。
【図面の簡単な説明】
【００１５】
【図１】本発明の第１の実施形態に係る分流器を示す斜視図である。
【図２】本発明の第２の実施形態に係る分流器に繊維束が設けられている状態を示す斜視図である。
【図３】本発明の第３の実施形態に係る分流器が、徐々に縮径する嵌め込み端を有し、且つ外周面に逆止構造が環設されていることを示す斜視図である。
【図４】図３の側断面図である。
【図５】図３の側面斜視図である。
【図６】図５の６-６線を示す断面図である。
【図７】本発明の第４の実施形態を示す断面図である。
【図８】本発明の第５の実施形態を示す断面図である。
【図９】本発明の第６の実施形態を示す斜視図である。
【図１０】図９の１０-１０線を示す断面図である。
【図１１】本発明の第３の実施形態がブラケットとして血管に利用される状態を示す図である。
【図１２】本発明の第７の実施形態が眼球に利用されて高圧排液を行う状態を示す図である。
【図１３】図１２の一部を示す拡大図である。
【発明を実施するための形態】
【００１６】
以下、本発明の実施の形態を図面に基づいて説明する。
【００１７】
図１を参照する。本発明に係る生体活性ガラス薬物キャリア機能付き分流器は、分流器１０を備える。分流器１０は、生体活性ガラスまたは水に溶けるガラスで作製されたチューブ、又は繊維を編織し、又は配列して構成された束である。分流器１０の一側の末端は嵌め込み端１２である。生体活性ガラスの間の隙間、又は水に溶けるガラスの隙間は、薬物を収容するための少なくとも一つの薬物載せ空間（図示せず）である。薬物は、前記薬物載せ空間に充填され可能である。
【００１８】
図２の図１と相違する点は、複数の繊維束２０が設けられている。分流器１０１の軸方向に沿って設けられている穿孔１２１内には、複数の繊維束２０が挿通されている。各繊維束２０の間の隙間は、薬物載せ空間１６である。薬物は、薬物載せ空間１６に充填され可能である。人体内の予定位置に分流器１０１を設置した後、薬物は、所定の創傷位置または標的に近接するため、少ない投与量で良い効果を得ることができる。
【００１９】
図３から図６を参照する。本発明に係る生体活性ガラス薬物キャリア機能付き分流器は、弾丸型、カプセル型、又はラグビー型の外観を有する分流器１０２である。分流器１０２は、生体活性ガラスまたは水に溶けるガラスで作製されたチューブ、又は繊維を編織し、又は配列して構成された束である。分流器１０２の内部には、複数の薬物載せ空間１６が設けられている。これらの薬物載せ空間１６は、規則的な形で配列される。これらの薬物載せ空間１６は薬物を収容するためのものである。薬物は、抗炎症薬、抗瘢痕薬、抗癌薬、または活性化細胞薬である。これらの薬物載せ空間１６は、薬物が充填されていないときに、導流または排液の効果を有する。分流器１０２の軸方向に穿孔１２１が設けられている。穿孔１２１は、導流および排液の効果を有する他、薬物を充填してもよい。分流器１０２の外周面に少なくとも一つの逆止構造１４が環設されている。逆止構造１４により、分流器１０２は、進入方向へ移動することが不能となり、分流器１０２は予定位置に安定的に位置することができる。分流器１０２の一側の末端は、徐々に縮径する嵌め込み端１２である。嵌め込み端１２により、予定位置に分流器１０２を嵌め込むことが便利となる。
【００２０】
図７を参照する。分流器１０３の複数の薬物載せ空間１６は、少なくとも一つの表載せ空間１６１と少なくとも一つの裏載せ空間１６２とをそれぞれ有する。表載せ空間１６１と裏載せ空間１６２とに充填されている薬物は、同じでもいいし、異なってもよい。表載せ空間１６１と裏載せ空間１６２とは、等距離に設けられている複数の仕切構造１８を有する。これにより、上記の薬物を仕切ることができる。これらの薬物載せ空間１６の配列の方式は、規則的であり、珊瑚状を呈する穴または不規則的な穴ではなく、そして、これらの薬物載せ空間１６は、異なる厚さで配列されてもよい。一方、図７に示すように、分流器１０３の複数の仕切構造１８の厚さは、同じでもいいし、異なってもよい。これにより、分解速度が異なるようにすることができ、薬物の放出時間および投与量をコントロールすることができる。本実施形態では、これらの仕切構造１８が厚い、薄い、厚い、薄い...などの配列方式で設けられている。
【００２１】
図８を参照する。分流器の内部には、軸方向に非平行な方法で整列およびくり抜く複数の繊維束２０が設けられている。繊維束２０は、生体活性ガラス（Ｂｉｏａｃｔｉｖｅ  ｇｌａｓｓ）を採用し、その半径が極めて小さいため、分流器１０４の両端の液体の圧力が異なるときに、複数の繊維束２０の毛細管現象により、分流器１０４の両端の圧力がバランスを取るまで、高圧な液体は低圧な液体へ流す。
【００２２】
別の実施形態に係る分流器１０５は、図９及び図１０に示すように、分流器１０５の末端に近接する嵌め込み端１２に薬物載せ空間１６が複数設けられている。複数の薬物載せ空間１６は、嵌め込み端１２を貫通し、その断面形状が円形を呈する。分流器１０５の外面に位置する逆止構造１４は、内側へ凹むように分流器１０５の中段位置に環設されている。これにより、分流器１０５を位置決める効果を向上することができる。
【００２３】
図１１及び図３〜図６を参照する。分流器１０２により、血管３０の直径を本来のように保持することができ、血液は、穿孔１２１又は複数の薬物載せ空間１６を経由して、分流器１０２の一端から他端へ流すことができる。図示しないが、複数の薬物載せ空間１６に、抗炎症薬、抗瘢痕薬、抗癌薬、または活性化細胞薬を充填することができる。分流器１０２は血管に直接に組付けられ、且つ標的に近接するため、上記の薬物は、血液に直接に放出され、より少ない投与量だけで、良い効果を得ることができる。
【００２４】
図１２、図１３及び図３〜図６を参照する。分流器１０６は、眼球４０の内側の壁面に嵌め込まれており、図３に示す分流器１０２に近似するが、穿孔１２１に繊維束２０が複数設けられている。これにより、眼球４０の前房の内部にある房液は、複数の繊維束２０の毛細管現象により、眼球４０の前房から排出されて、眼圧を降下する効果を有する。薬物載せ空間１６に薬物が充填されてない場合に、分流器１０６は導流の効果を有する。
【００２５】
前記生体活性ガラスの外側から内側への分解時間は、それぞれ２４時間以内に分解し、１か月以内に分解し、６か月以内に分解し、及び１年間〜３年間以内に分解する。上記の分解時間は、分流器１０、１０１、１０２、１０３、１０４、１０５、１０６の大きさ、肉厚、長さ、又は含有の層数によって決める。異なる比例の配方または高密度シリコン含有量の組合せにより、前記生体活性ガラス（Ｂｉｏａｃｔｉｖｅ  ｇｌａｓｓ）の分解速度を相違することができるため、薬物の放出時間および投与量をコントロールすることができる。
【００２６】
上記の水に溶けるガラスは、可溶性のホウケイ酸塩材料（Ｓｏｌｕｂｌｅ  ｂｉｏｓｉｌｉｃａｔｅ  ｍａｔｅｒｉａｌｓ）を採用する。
【符号の説明】
【００２７】
１０,１０１〜１０６  分流器
１２  嵌め込み端
１４  逆止構造
１６  薬物載せ空間
１８  仕切構造
２０  繊維束
３０  血管
４０  眼球
１２１  穿孔
１６１  表載せ空間
１６２  裏載せ空間
【要約】
【課題】人体内の予定位置に分流器を取り付けた後、薬物は、所定の創傷位置または標的に近接するため、少ない投与量で良い効果を得ることができる生体活性ガラス薬物キャリア機能付き分流器を提供する。
【解決手段】分流器を備え、分流器は、生体活性ガラス、又は水に溶けるガラスで作製されたチューブ、又は繊維を編織し、又は配列して構成される束であり、分流器の一側の末端は嵌め込み端であり、生体活性ガラスの間の隙間、又は水に溶けるガラスの隙間は、薬物を収容するための少なくとも一つの薬物載せ空間である。
【選択図】図１【図１】
0006925464.tif 000002
【図２】
0006925464.tif 000003
【図３】
0006925464.tif 000004
【図４】
0006925464.tif 000005
【図５】
0006925464.tif 000006
【図６】
0006925464.tif 000007
【図７】
0006925464.tif 000008
【図８】
0006925464.tif 000009
【図９】
0006925464.tif 000010
【図１０】
0006925464.tif 000011
【図１１】
0006925464.tif 000012
【図１２】
0006925464.tif 000013
【図１３】
0006925464.tif 000014